(57)【要約】【課題】ケーブルクリップ入り口部を被保持ケーブル径より狭くすることでケーブル保持を可能にするケーブルクリップにおいて、ケーブル抜去時におけるケーブル被膜の摩耗を抑制する。【解決手段】固定部および可動部を連結する湾曲部からなり、互いが対向する位置および方向に突出した略三角形状の爪部を有し、挿入されるケーブルの長手方向における両端部のうちいずれか一方において、略三角形状の爪部と挿入されるケーブルの長手方向に直交する面が成す頂点に面取りが施されている。【選択図】図７
2016054614.tif 000002
【特許請求の範囲】
【請求項１】
ジャック部を有する電子機器に備えられるものであって、前記ジャック部に接続されるプラグ部を有するケーブルを保持することが可能なケーブルクリップにおいて、
固定部および可動部と、前記固定部および前記可動部を連結する湾曲部からなるＵ字形状のケーブルクリップであって、
前記可動部は前記固定部から離間方向に弾性変形することによりケーブルの挿入および抜去を可能とし、
前記固定部および前記可動部は互いが対向する位置および方向に突出した三角形状の爪部を有しており、
前記爪部は前記ケーブルクリップに挿入されるケーブルの長手方向において所定の幅を有し、
前記可動部が有する爪部は、挿入されるケーブルの長手方向における両端部のうちいずれか一方において、前記三角形状の爪部と挿入されるケーブルの長手方向に直交する面が成す頂点に面取りが施されていることを特徴とするケーブルクリップ。
【請求項２】
前記面取りは前記可動部の爪部のうち、前記ケーブルクリップに挿入されるケーブルの長手方向のおける両端部のうち前記プラグ部とは遠方側に施されることを特徴とする請求項１に記載のケーブルクリップ。
【請求項３】
前記固定部は前記電子機器と締結するためのビスを通すための穴を有しており、
前記可動部は前記ビスを締結するための工具を挿入するための溝または穴を有している
ことを特徴とする請求項１又は請求項２に記載のケーブルクリップ。
【請求項４】
前記電子機器は撮像装置であり、該撮像装置における正姿勢において、前記ケーブルクリップは前記固定部および可動部が有する爪形状が鉛直上側に位置し、湾曲部が鉛直下側に位置することを特徴とする請求項１乃至請求項３の何れか一項に記載のケーブルクリップ。
【請求項５】
前記撮像装置の正姿勢において、前記ケーブルクリップは前記プラグ部よりも鉛直上側に配置されていることを特徴とする請求項１乃至請求項４の何れか一項に記載のケーブルクリップ。
【請求項６】
前記固定部が有する爪形状の前記固定部からの突出量よりも、前記可動部が有する爪形状の前記可動部からの突出量が大きいことを特徴とする請求項１乃至請求項５の何れか一項に記載のケーブルクリップ。
【発明の詳細な説明】
【技術分野】
【０００１】
本発明は、ケーブルを保持するためのクリップに関する。
【背景技術】
【０００２】
従来より知られているケーブルクリップは、特許文献１に記載されているように、支持基板とケーブル保持板によって断面Ｕ字状のケーブル保持溝を形成し、バネ鋼を用いることでケーブル保持板を支持基板側に付勢している。ケーブルクリップにおけるケーブル入り口部が狭い形状にし、保持板から支持基板へ付勢力を与えることで、ケーブルの保持性が高められる。ケーブル入り口部にフックとロック爪によるロック機構を備えるケーブルクリップに対して、ケーブル挿入動作だけでケーブルを保持状態にすることができ、ロック動作が不要であるという利点がある。
【先行技術文献】
【特許文献】
【０００３】
【特許文献１】特開２０１３−４２６０１号
【発明の概要】
【発明が解決しようとする課題】
【０００４】
しかしながら、ケーブルクリップの入り口部をケーブル径よりも狭くすることでケーブルを保持するクリップにおいては、ケーブル抜去時にケーブルが入り口部に擦れる。ケーブルの挿入と抜去の繰り返しにより、ケーブル被膜が摩耗し、更には断線に至る可能性もあった。
【０００５】
本発明は、上記のような従来技術の問題点を解決するために提案されたものであり、ケーブルクリップ入り口部を被保持ケーブル径より狭くすることでケーブル保持を可能にするケーブルクリップにおいて、ケーブル抜去時におけるケーブル被膜の摩耗を抑制するケーブルクリップを提供することを目的とする。
【課題を解決するための手段】
【０００６】
上記の目的を達成するために、本発明は、ジャック部を有する電子機器に備えられるものであって、前記ジャック部に接続されるプラグ部を有するケーブルを保持することが可能なケーブルクリップにおいて、固定部および可動部と、前記固定部および前記可動部を連結する湾曲部からなる略Ｕ字形状のケーブルクリップであって、前記可動部は前記固定部から離間方向に弾性変形することによりケーブルの挿入および抜去を可能とし、前記固定部および前記可動部は互いが対向する位置および方向に突出した略三角形状の爪部を有しており、前記爪部は前記ケーブルクリップに挿入されるケーブルの長手方向において所定の幅を有し、前記可動部が有する爪部は、挿入されるケーブルの長手方向における両端部のうちいずれか一方において、前記略三角形状の爪部と挿入されるケーブルの長手方向に直交する面が成す頂点に面取りが施されていることを特徴とする。
【発明の効果】
【０００７】
本発明によれば、ケーブルクリップ入り口部を被保持ケーブル径より狭くすることでケーブル保持を可能にするケーブルクリップにおいて、ケーブル抜去時におけるケーブル被膜の摩耗を抑制するケーブルクリップを提供することができる。
【図面の簡単な説明】
【０００８】
【図１】本発明の実施形態に係る電子機器としてビデオカメラの外観例を示す斜視図。
【図２】電源ジャックに挿入される電源プラグを示す図。
【図３】ケーブルクリップの可動部からの斜視図。
【図４】ケーブルクリップの側面図および挿入状態のケーブルの断面図。
【図５】ケーブルクリップの固定部からの斜視図。
【図６】本実施例におけるケーブルクリップが備えられたビデオカメラにおいて、ケーブルクリップから電源ケーブルを抜去する動作を示した図。
【図７】ケーブル抜去動作時におけるケーブルクリップおよびケーブルの状態を示した図。
【発明を実施するための形態】
【０００９】
以下に、本発明の実施形態に係る電子機器を、図面を用いて詳細に説明する。
【００１０】
図１は本発明の実施形態に係る電子機器の一例としてビデオカメラ１の外観例を示す斜視図である。ビデオカメラ１はケーブルクリップ２を備えている。
【００１１】
図２は、ビデオカメラ１の電源ジャック１ａに接続される電源ケーブル３の電源プラグ３ａを示す図である。ケーブルクリップ２は電源ジャック１ａに接続される電源プラグ３ａを保持するとともに、電源ケーブル３に対して使用者の意図しない張力が掛かり、電源プラグ３ａが電源ジャック１ａから不用意に抜去されるのを防ぐ機能を持つ。ケーブルクリップ２は固定部４、湾曲部５および可動部６により構成され、概して断面がＵ字形状のケーブルクリップである。
【００１２】
図３はケーブルクリップ２の可動部６側からの斜視図である。固定部４は固定側爪４ａ、可動部６は可動側爪６ａをそれぞれ有す。
【００１３】
図４は電源ケーブル３がケーブルクリップ２に挿入された状態を図示したものである。固定側爪４ａと可動側爪６ａは、固定部４と可動部６の隙間７で保持されるケーブルを外れにくくする機能を持つ。固定側爪４ａおよび可動側爪６ａは図４紙面方向において、略三角形状である。ケーブルクリップ２は弾性変形容易なＰＯＭや６６ナイロンのような材料で成形される部品であり、可動部６への所定の荷重により隙間７を広げられることができる。ケーブルクリップ２は固定部４にあるビス用穴４ｂに不図示のビスを通しビデオカメラ１に締結される。可動部６の溝６ｂは前記不図示のビスを回すドライバーを挿入するための溝である。
【００１４】
図５はケーブルクリップ２の固定部４側からの斜視図である。背面には第１の位置決め穴４ｄおよび第２の位置決め穴４ｃが配されている。ビデオカメラ１に備えられる不図示の位置決めピンが位置決め穴４ｃ・４ｄに挿入されることによってビデオカメラ１に対する位置・向きが規制される。
【００１５】
図６はビデオカメラ１の使用者によるケーブルクリップ２からの電源ケーブル３抜去時の様子を表した図である。ケーブルクリップ２は固定側爪４ａおよび可動側爪６ａが湾曲部５に対して鉛直方向上側になるようにビデオカメラ１に取り付けられる。ケーブルクリップ２へはケーブルを鉛直下方向へ挿入し、鉛直上方向に抜去する。
【００１６】
また、図６のビデオカメラ１の姿勢を正姿勢として、ケーブルクリップ２は電源ジャック１ａよりも鉛直方向上側に位置している電源プラグ３ａは電源ジャック１ａに接続されており、電源ジャック１ａからケーブルクリップ２の隙間７を通り、図６奥側に出て、不図示の電源装置に接続される。このような電子機器においては電源ケーブル３を取り外す時は、ケーブルクリップ２からの電源ケーブル３の抜去動作は余長の短い電源プラグ３ａからケーブルクリップ２の間とは逆側を把持した状態から、鉛直上方向に引っ張ることで行われることが多い。
【００１７】
ケーブルクリップ２からの電源ケーブル３抜去動作時の電源ケーブル３とケーブルクリップ２の状態を固定部４側からの斜視図である図７によって示す。図７において、電源ケーブル３の紙面右側は電源ジャック１ａに接続されている側であり、紙面左側はケーブル抜去動作において把持される側である。
【００１８】
抜去動作は、電源ケーブル３が概して鉛直上側に引っ張られることで可動部６の固定部４に対向する面に接触し、電源ケーブル３がすり抜けられるように可動側爪６ａと固定側爪４ａの間の距離が広がることで行われる。このとき、電源ケーブル３は可動側爪６ａのうち電源ジャック１ａとは逆側の部位である図７中ケーブルクリップ２紙面左側に引っ掛かりながら、引っ張られることになる。すなわち、抜去動作時、電源ケーブル３がケーブルクリップ２と最も強く接触するのは、可動側爪６ａのうち電源ジャック１ａと逆側の部位である。
【００１９】
本実施例におけるケーブルクリップ２には前記部位に面取り形状部６ｃを設けている。ケーブル被膜が損傷しにくい面取り形状は電源ケーブル３とケーブルクリップ２が最も強く接触する図７中の面取り形状部６ｃの位置のみに設けることで、ケーブル保持性の低減を極力防ぎながらケーブル断線リスクを同時に抑制することができる。
【００２０】
また、前述したようにケーブル抜去時においては、電源ケーブル３は可動側爪６ａに掛かりながら引っ張られる。よってケーブルクリップ２は固定側爪４ａの固定部４からの突出量である固定側爪突出量Ａよりも可動側爪６ａの可動部６からの突出量である可動側爪突出量Ｂを大きくすることで、ケーブル保持性を高めている。
【符号の説明】
【００２１】
１  ビデオカメラ、１ａ  電源ジャック、２  ケーブルクリップ、３  電源ケーブル、
３ａ  電源プラグ、４  固定部、４ａ  固定側爪、４ｂ  ビス用穴、
４ｃ  第１の位置決め穴、４ｄ  第２の位置決め穴、５  湾曲部、６  可動部、
６ａ  可動側爪、６ｂ  溝、６ｃ  面取り形状部、７  隙間、Ａ  固定側爪の突出量、
Ｂ  可動側爪の突出量
【図１】
2016054614.tif 000003
【図２】
2016054614.tif 000004
【図３】
2016054614.tif 000005
【図４】
2016054614.tif 000006
【図５】
2016054614.tif 000007
【図６】
2016054614.tif 000008
【図７】
2016054614.tif 000009